(57)【特許請求の範囲】
【請求項１】
絶縁操作棒の先端部に設けた一対の開閉する湾曲した把持腕に取り付けでき、対向する把持面の間に把持対象物を挟持可能な、一組で構成される間接活線工事用アダプタであって、
一対の前記把持腕から遠心方向に突出する把持爪が挿入可能な穴部を前記把持面と反対側に開口したブロック状のアダプタ本体と、
アダプタ本体に取り付け、前記把持爪の把持面と反対面から当該把持爪を固定する係止手段と、
前記アダプタ本体に一端部を固定すると共に、一対の前記把持面に沿って延び、他端部が交差できるように他端部側を湾曲した一組の板状の湾曲腕と、を備え、
一方の前記湾曲腕は、単一腕を中央部に有し、
他方の前記湾曲腕は、前記単一腕の先端部が導入可能な二股に分岐した一対の分岐腕を有し、
前記アダプタ本体の穴部の一方の開口端から前記把持爪を挿入して、当該把持爪から延長するように、一組の前記湾曲腕が対向配置される第１の取り付け状態と、
前記アダプタ本体の穴部の他方の開口端から前記把持爪を挿入して、当該把持腕の湾曲した内壁に沿って一組の前記湾曲腕が対向配置される第２の取り付け状態と、に変換できる間接活線工事用アダプタ。
【請求項２】
前記係止手段は、
先端部が前記穴部の内壁から突出できると共に、前記把持爪の把持面と反対面から当該把持爪に当接する係合ピンと、
前記アダプタ本体の内部に保持され、前記係合ピンが前記把持爪に向かう力を付勢する圧縮コイルばねと、を有している請求項１記載の間接活線工事用アダプタ。
【請求項３】
一組の前記アダプタ本体は、それらの対向する把持面を粗面で形成している請求項１又は２記載の間接活線工事用アダプタ。
【請求項４】
一組の前記湾曲腕は、それらの一端部を前記アダプタ本体の一端部側に突出する取り付け片に着脱自在に固定している請求項１から３のいずれかに記載の間接活線工事用アダプタ。
【発明の詳細な説明】
【技術分野】
【０００１】
本発明は、間接活線工事用アダプタに関する。特に、間接活線工事用の絶縁ヤットコの先端部に設けた一対の開閉する把持腕に着脱自在な一組のアダプタであって、クイック型アームを把持腕から延長した状態で取り付けると、クイック型ヤットコとして使用でき、クイック型アームを把持腕の間に配置したときには、把持腕の間に電線が脱落することを抑制できる間接活線工事用アダプタの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁ヤットコを用いて、電線を把持する作業の他に、電線に防護管を被せる作業、又は電柱に営巣されたカラスの巣を除去する作業などが実施されている。
【０００５】
図６は、高圧配電線などを把持するための絶縁操作棒の正面図である。図７は、図６に示した絶縁操作棒の先端部を拡大した正面図である。図８は、図７の左側面図である。
【０００６】
図６を参照すると、絶縁操作棒９は、長尺の操作棒９１と把持工具９２で構成している。又、絶縁操作棒９は、作動棒９３を備えている。把持工具９２は、操作棒９１の先端部に取り付けている。
【０００７】
図６又は図７を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【０００８】
図６を参照すると、作動棒９３は、操作棒９１に沿って保持されている。作動棒９３の先端部は、他方の把持腕９ｂに回動自在に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【０００９】
図６を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図６又は図７は、一方の把持腕９ａに対して、他方の把持腕９ｂが最大に開いた状態を示している。
【００１０】
図７又は図８を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図６又は図７を参照して、操作レバー９４を握ると、把持面９０ｂを把持面９０ａに近づけることができる。
【００１１】
図６から図８に示した絶縁操作棒９は、高所に配置された高圧配電線などを一対の把持爪９１ａ・９１ｂで把持できる、いわゆる「絶縁ヤットコ」になっている。
【００１２】
ところで、図６から図８に示した把持工具９２は、電線や直線スリーブなどの略円形の断面を有する把持対象物を平坦な把持面９０ａ・９０ｂで確実に把持することが難しいという不具合があった。又、略円形の断面を有する把持対象物が一対の把持腕９ａ・９ｂの内部に脱落し易いという不具合があった。
【００１３】
このような不具合を解消するため、把持対象物が一対の把持腕の内部に脱落することを防止する絶縁ヤットコが開示されている。（例えば、特許文献１参照）。
【００１４】
しかし、特許文献１による絶縁ヤットコは、複数の襞を表面に形成したゴム板を一対の把持腕の間に掛け渡しているので、蛇などを確実に把持できるが、略円形の断面を有する把持対象物を確実に把持することは容易でないという問題がある。
【００１５】
このため、略円形の断面を有する把持対象物を把持することのみに特化した絶縁操作棒（いわゆる、クイック型ヤットコ）が開発されている。図９は、クイック型ヤットコの一例による構成を示す図であり、図９（Ａ）は、クイック型ヤットコの正面図、図９（Ｂ）は、クイック型ヤットコの右側面図である。
【００１６】
図９を参照すると、把持工具８２は、開閉する一対の湾曲した把持腕８ａ・８ｂで構成している。そして、一方の把持腕ａは、基端部が固定された固定腕であり、他方の把持腕８ｂは、一方の把持腕８ａの基端部に設けた回動軸８ｃを中心に回動する可動腕となっている。
【００１７】
図９を参照すると、作動棒８３は、操作棒８１に沿って保持されている。作動棒８３の先端部は、他方の把持腕８ｂに回動自在に連結している。そして、作動棒８３の基端部に設けた操作レバー８４を操作すると、一方の把持腕８ａに対して、他方の把持腕８ｂを開閉できる。絶縁操作棒８は、操作棒８１及び作動棒８３の中間部が絶縁性を有するプラスチックパイプなどで構成され、間接活線工法に好適なように、絶縁性を確保している。
【００１８】
図９を参照して、操作レバー８４を握って、操作レバー８４を操作棒８１に近づけると、一方の把持腕８ａに対して、他方の把持腕８ｂを閉じることができる。操作レバー８４を解放すると、操作レバー８４に連結したばね（図示せず）の力で、一方の把持腕８ａに対して、他方の把持腕８ｂを開くことができる。
【００１９】
図９を参照すると、一方の把持腕８ａは、鉤状に屈折するように形成している。他方の把持腕８ｂは、円弧状に湾曲するように形成している。一方の把持腕８ａは、二股に分岐した一対の分岐腕となっている。他方の把持腕８ｂは、一対の分岐腕の間に導入される単一腕になっている。これにより、一対の把持腕８ａ・８ｂを閉じると、略円形の断面を有する把持対象物を確実に把持できる。
【先行技術文献】
【特許文献】
【００２０】
【特許文献１】特開２０１２−１５７１２１号公報
【発明の概要】
【発明が解決しようとする課題】
【００２１】
しかし、間接活線工事では、様々な把持対象物が存在している。図９に示した絶縁操作棒８は、比較的細径の電線などを確実に把持できるが、他の用途に使用できないという問題がある。図６に示した絶縁操作棒９は、比較的太径の電線を把持できるが、前述したように、把持対象物が一対の把持腕の内部に脱落し易いという問題があった。
【００２２】
又、高所作業車に設置したバケット内に、絶縁操作棒８と絶縁操作棒９の双方を用意しておけば、これらの問題は解決できるが、バケットの内部が狭くなり、作業効率に支障をきたすことが心配される。
【００２３】
以上のことから、間接活線工事用の絶縁ヤットコの先端部に設けた一対の開閉する把持腕に着脱自在な一組のアダプタであって、クイック型アームを把持腕から延長した状態で取り付けると、クイック型ヤットコとして使用でき、クイック型アームを把持腕の間に配置したときには、開閉腕の間に電線が脱落することを抑制できる間接活線工事用アダプタが求められていた。
【００２４】
本発明は、このような課題に鑑みてなされたものであり、間接活線工事用の絶縁ヤットコでクイック型ヤットコの役割を果たすことができる間接活線工事用アダプタを提供することを目的とする。
【課題を解決するための手段】
【００２５】
本発明者は、クイック型アームを絶縁ヤットコの先端部に取り付けて、クイック型ヤットコとして使用でき、クイック型アームを開閉する把持腕の間に配置したときには、把持腕の間に電線が脱落することを抑制できるようにアダプタ構成することで、間接活線工事用の絶縁ヤットコでクイック型ヤットコの役割を果たすことができることを見出し、これに基づいて、以下のような新たな間接活線工事用アダプタを発明するに至った。
【００２６】
（１）本発明による間接活線工事用アダプタは、絶縁操作棒の先端部に設けた一対の開閉する湾曲した把持腕に取り付けでき、対向する把持面の間に把持対象物を挟持可能な、一組で構成される間接活線工事用アダプタであって、一対の前記把持腕から遠心方向に突出する把持爪が挿入可能な穴部を前記把持面と反対側に開口したブロック状のアダプタ本体と、アダプタ本体に取り付け、前記把持爪の把持面と反対面から当該把持爪を固定する係止手段と、前記アダプタ本体に一端部を固定すると共に、一対の前記把持面に沿って延び、他端部が交差できるように他端部側を湾曲した一組の板状の湾曲腕と、を備え、一方の前記湾曲腕は、単一腕を中央部に有し、他方の前記湾曲腕は、前記単一腕の先端部が導入可能な二股に分岐した一対の分岐腕を有し、前記アダプタ本体の穴部の一方の開口端から前記把持爪を挿入して、当該把持爪から延長するように、一組の前記湾曲腕が対向配置される第１の取り付け状態と、前記アダプタ本体の穴部の他方の開口端から前記把持爪を挿入して、当該把持腕の湾曲した内壁に沿って一組の前記湾曲腕が対向配置される第２の取り付け状態と、に変換できる。
【００２７】
（２）前記係止手段は、先端部が前記穴部の内壁から突出できると共に、前記把持爪の把持面と反対面から当該把持爪に当接する係合ピンと、前記アダプタ本体の内部に保持され、前記係合ピンが前記把持爪に向かう力を付勢する圧縮コイルばねと、を有していることが好ましい。
【００２８】
（３）一組の前記アダプタ本体は、それらの対向する把持面を粗面で形成していることが好ましい。
【００２９】
（４）一組の前記湾曲腕は、それらの一端部を前記アダプタ本体の一端部側に突出する取り付け片に着脱自在に固定していることが好ましい。
【発明の効果】
【００３０】
本発明による接活線工事用アダプタは、アダプタ本体の穴部の一方の開口端から把持爪を挿入して、把持爪から延長するように、一組の湾曲腕が対向配置される第１の取り付け状態と、アダプタ本体の穴部の他方の開口端から把持爪を挿入して、把持腕の湾曲した内壁に沿って一組の湾曲腕が対向配置される第２の取り付け状態に変換できるので、異なる用途を有する複数の絶縁操作棒を用意する必要が無くなるという効果がある。
【図面の簡単な説明】
【００３１】
【図１】本発明の一実施形態による間接活線工事用アダプタの構成を示す斜視図である。
【図２】前記実施形態による間接活線工事用アダプタの構成を示す図であり、図２（Ａ）は、一方の間接活線工事用アダプタの斜視図、図２（Ｂ）は、一方の間接活線工事用アダプタの要部縦断面図、図２（Ｃ）は、一方の間接活線工事用アダプタの要部横断面図である。
【図３】前記実施形態による間接活線工事用アダプタの要部を縦断面で示す正面図であり、一対の把持腕が最も開角した状態で、一対の把持腕に一組の間接活線工事用アダプタを取り付けた状態図である。
【図４】図３の状態変化図であり、一対の把持腕を閉じて、一対の湾曲腕が閉じた状態を示す正面図である。
【図５】前記実施形態による間接活線工事用アダプタの要部を縦断面で示す正面図であり、一対の把持腕が最も開角した状態で、一対の湾曲腕が一対の把持腕の内部に配置された状態図である。
【図６】高圧配電線などを把持するための絶縁操作棒の正面図である。
【図７】図６に示した絶縁操作棒の先端部を拡大した正面図である。
【図８】図７の左側面図である。
【図９】クイック型ヤットコの一例による構成を示す図であり、図９（Ａ）は、クイック型ヤットコの正面図、図９（Ｂ）は、クイック型ヤットコの右側面図である。
【発明を実施するための形態】
【００３２】
以下、図面を参照して本発明を実施するための形態を説明する。
［間接活線工事用アダプタの構成］
最初に、本発明の一実施形態による間接活線工事用アダプタの構成を説明する。
【００３３】
図１は、本発明の一実施形態による間接活線工事用アダプタの構成を示す斜視図である。図２は、前記実施形態による間接活線工事用アダプタの構成を示す図であり、図２（Ａ）は、一方の間接活線工事用アダプタの斜視図、図２（Ｂ）は、一方の間接活線工事用アダプタの要部縦断面図、図２（Ｃ）は、一方の間接活線工事用アダプタの要部横断面図である。
【００３４】
図３は、前記実施形態による間接活線工事用アダプタの要部を縦断面で示す正面図であり、一対の把持腕が最も開角した状態で、一対の把持腕に一組の間接活線工事用アダプタを取り付けた状態図である。
【００３５】
図４は、図３の状態変化図であり、一対の把持腕を閉じて、一対の湾曲腕が閉じた状態を示す正面図である。
【００３６】
図５は、前記実施形態による間接活線工事用アダプタの要部を縦断面で示す正面図であり、一対の把持腕が最も開角した状態で、一対の湾曲腕が一対の把持腕の内部に配置された状態図である。
【００３７】
なお、従来技術で使用した符号と同じ符号を有する構成品は、その作用を同じとするので、以下説明を省略することがある。
【００３８】
（全体構成）
図１から図５を参照すると、本発明の一実施形態による間接活線工事用アダプタ（以下、アダプタと略称する）１０は、ブロック状のアダプタ本体１、係止手段２、及び一組の板状の湾曲腕３ａ・３ｂを備えている。
【００３９】
（アダプタ本体の構成）
図１から図５を参照すると、アダプタ本体１は、絶縁操作棒９０の先端部に設けた一対の開閉する湾曲した把持腕９ａ・９ｂに取り付けことができる。又、アダプタ本体１は、対向する一対の把持面１０ａ・１０ａの間に比較的太径の電線Ｗｂなどの把持対象物を挟持できる（図５参照）。なお、把持面１０ａには、綾目ローレットなどの粗面を形成しておくことが好ましい。
【００４０】
（アダプタ本体の構成）
図１から図５を参照すると、アダプタ本体１は、絶縁操作棒９０の先端部に設けた一対の開閉する湾曲した把持腕９ａ・９ｂに取り付けことができる。又、アダプタ本体１は、対向する一対の把持面１０ａ・１０ａの間に比較的太径の電線Ｗｂなどの把持対象物を挟持できる（図５参照）。
【００４１】
図２を参照すると、アダプタ本体１は、穴部１１ｈを把持面１０ａと反対側に開口している。穴部１１ｈには、一対の把持腕９ａ・９ｂから遠心方向に突出する把持爪９１ａ又は把持爪９１ｂを挿入できる（図３参照）。
【００４２】
図１から図５を参照すると、アダプタ本体１は、帯状の取り付け片１１を一端部側に突出している。取り付け片１１には、後述する湾曲腕３ａ・３ｂの一端部を着脱自在に固定できる。取り付け片１１には、湾曲腕３ａ・３ｂを雄ねじなどで固定するための雌ねじ穴１１ｓを設けている（図２（Ａ）参照）。そして、アダプタ本体１は、一対の把持面１０ａ・１０ａに沿って延びるように、湾曲腕３ａ又は湾曲腕３ｂを先端部から突出している。
【００４３】
（係止手段の構成）
次に、係止手段２の構成を説明する。図２を参照すると、係止手段２は、係合ピン２１と圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が穴部１１ｈの内壁から内部に突出している（図２（Ｂ）参照）。鍔部２１ｆは、円筒部２ｐの上端縁に当接している。
【００４４】
図２（Ｂ）を参照すると、圧縮コイルばね２２は、軸部２１ｓの外周を巻回している。又、圧縮コイルばね２２は、円筒部２ｐの内部に収容されている。圧縮コイルばね２２の一端部は、軸部２１ｓに固定されている。圧縮コイルばね２２の他端部は、円筒部２ｐの内壁に固定されている。そして、圧縮コイルばね２２は、軸部２１ｓの先端部が穴部１１ｈの内部に突出する力を付勢している。
【００４５】
図２（Ａ）又は図２（Ｂ）を参照して、鍔部２１ｆを把持して、圧縮コイルばね２２の弾性力に抗して、係合ピン２１を引き上げると、把持爪９１ａ又は把持爪９１ｂを穴部１１ｈに収容できる（図３参照）。そして、鍔部２１ｆを解放すると、把持爪９１ａ又は把持爪９１ｂの把持面９０ａ・９０ｂと反対面から把持爪９１ａ又は把持爪９１ｂに係合ピン２１の先端部を当接できる。把持爪９１ａ又は把持爪９１ｂには、係合ピン２１の先端部が進入する窪み９ｄを設けることが好ましい（図１又は図３参照）。
【００４６】
図２（Ｂ）又は図２（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００４７】
図２（Ｂ）又は図２（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪９１ａ又は把持爪９１ｂを穴部１１ｈに収容した後に、係合ピン２１を逆方向に回動することで、アダプタ本体１を把持爪９１ａ又は把持爪９１ｂに固定できる。
【００４８】
（湾曲腕の構成）
次に、一組の湾曲腕３ａ・３ｂの構成を説明する。図１を参照すると、湾曲腕３ａ又は湾曲腕３ｂは、六角穴付きボルトなどを用いて、その一端部を取り付け片１１に着脱自在に固定している。一組の湾曲腕３ａ・３ｂは、一対の把持面１０ａ・１０ａに沿って延び、他端部が交差できるように他端部側を湾曲している。そして、一組の湾曲腕３ａ・３ｂを対向配置することで、比較的細径の電線Ｗｓなどを確実に把持できる（図４参照）。
【００４９】
図１を参照すると、一方の湾曲腕３ａは、単一腕３１ａを中央部に有している。他方の湾曲腕３ｂは、単一腕３１ａの先端部が導入可能な二股に分岐した一対の分岐腕３１ｂ・３１ｂを有している。単一腕３１ａの先端部と一対の分岐腕３１ｂ・３１ｂの先端部が交差することで、比較的細径の電線Ｗｓなどを確実に把持できる（図４参照）。
【００５０】
［間接活線工事用アダプタの作用］
次に、実施形態によるアダプタ１０の操作方法を説明しながら、アダプタ１０の作用及び効果を説明する。
【００５１】
図１から図３を参照すると、アダプタ１０は、把持爪９１ａ又は把持爪９１ｂを穴部１１ｈの一方の開口端から挿入し（図３参照）、係合ピン２１で固定できる。一組のアダプタ１０・１０は、対向する一組の湾曲腕３ａ・３ｂの間に比較的細径の電線Ｗｓなどの把持対象物を挟持できる（図４参照）。
【００５２】
図３に示した状態から、操作レバー９４を握って、操作レバー９４を操作棒９１に近づけると（図６参照）、一方のアダプタ１０に対して、他方のアダプタ１０を閉じることができる。つまり、一方の湾曲腕３ａに対して、他方の湾曲腕３ｂを閉じることができる（図４参照）。図４に示した状態では、単一腕３１ａの先端部と一対の分岐腕３１ｂ・３１ｂの先端部が交差することで、比較的細径の電線Ｗｓなどを確実に把持できる。
【００５３】
又、図５を参照すると、アダプタ１０は、把持爪９１ａ又は把持爪９１ｂを穴部１１ｈの他方の開口端から挿入し、係合ピン２１で固定できる。図５に示した状態では、一組のアダプタ１０・１０は、対向する把持面１０ａ・１０ａの間に比較的太径の電線Ｗｂなどの把持対象物を挟持できる。
【００５４】
又、図５に示した状態では、把持腕９ａ・９ｂの湾曲した内壁に沿って一組の湾曲腕３ａ・３ｂが対向配置されるので、比較的太径の電線Ｗｂなどが一対の把持腕９ａ・９ｂの内部に脱落することを防止できる。
【００５５】
図５に示した状態から、操作レバー９４を握って、操作レバー９４を操作棒９１に近づけると（図６参照）、一方のアダプタ１０に対して、他方のアダプタ１０を閉じることができる。そして、対向する把持面１０ａ・１０ａの間に比較的太径の電線Ｗｂなどの把持対象物を挟持できる。
【００５６】
このように、実施形態によるアダプタ１０は、アダプタ本体１・１の穴部１１ｈ・１１ｈの一方の開口端から把持爪９１ａ・９１ｂを挿入して、把持爪９１ａ・９１ｂから延長するように、一組の湾曲腕３ａ・３ｂが対向配置される第１の取り付け状態と、アダプタ本体１・１の穴部１１ｈ・１１ｈの他方の開口端から把持爪９１ａ・９１ｂを挿入して、把持腕９ａ・９ｂの湾曲した内壁に沿って一組の湾曲腕３ａ・３ｂが対向配置される第２の取り付け状態と、に変換できるので、異なる用途を有する複数の絶縁操作棒を用意する必要が無くなり、便利である。
【００５７】
本発明による間接活線工事用アダプタは、次のような効果が奏される。
（１）間接活線工事用の絶縁ヤットコでクイック型ヤットコの役割を果たすことができる。
（２）細径の電線でも確実に把持できる。
（３）電線が脱落することを防止できる。
（４）別途、クイック型ヤットコ用意する必要が無くなる。
（５）バケットの内部が煩雑にならず、内部空間が広くなる。
【００５８】
本発明は、絶縁操作棒などを用いて、無停電状態の高圧配電線を間接的に活線工事できる間接活線工事用のアダプタを開示したが、本発明のアダプタは、間接活線工事用に限定されることなく、他の分野でも応用されることが期待される。
【符号の説明】
【００５９】
１  アダプタ本体
２  係止手段
３ａ  一方の湾曲腕
３ｂ  他方の湾曲腕
９ａ・９ｂ  一対の把持腕
１０  アダプタ（間接活線工事用アダプタ）
１０ａ・１０ａ  対向する把持面
１１ｈ  穴部
３１ａ  単一腕
３１ｂ・３１ｂ  一対の分岐腕
９０ａ・９０ｂ  把持面
９１ａ・９１ｂ  把持爪
【図１】
0005897628.tif 000002
【図２】
0005897628.tif 000003
【図３】
0005897628.tif 000004
【図４】
0005897628.tif 000005
【図５】
0005897628.tif 000006
【図６】
0005897628.tif 000007
【図７】
0005897628.tif 000008
【図８】
0005897628.tif 000009
【図９】
0005897628.tif 000010